(57)【要約】【課題】分解組立てが容易で、設置すべき開口部の、特に厚み寸法並びに寸法誤差等に制約されずに施工でき、汎用性に富む浴室用ドア枠を提供することを課題とする。【解決手段】上枠１１、下枠１２、左縦枠１３及び右縦枠１４から成り、前記各枠は、開口部端縁８５を挟圧してそこに固定される外側枠１５と内側枠１６とで構成され、前記外側枠１５と内側枠１６は、その一方が有する受入部２０に他方が有する装入部２５が装入されることによって連結されて、前記開口部端縁８５を挟圧した状態でそこに固定されることを特徴とする。【選択図】図３
2007162304.tif 000002
【特許請求の範囲】
【請求項１】
上枠、下枠、左縦枠及び右縦枠から成り、前記各枠は、開口部端縁を挟圧してそこに固定される外側枠と内側枠とで構成され、前記外側枠と内側枠は、その一方が有する受入部に他方が有する装入部が摺動可能に装入されることによって連結されて、前記開口部端縁を挟圧した状態でそこに固定されることを特徴とする浴室用ドア枠。
【請求項２】
前記外側枠と内側枠は、その一方が有する前記装入部からその他方が有する前記受入部にネジをネジ込むことによって固定される請求項１に記載の浴室用ドア枠。
【請求項３】
前記各枠の外側枠及び内側枠は、それぞれそれら内外枠間並びに前記開口部端縁との間に気密・水密用パッキンを介して固定される請求項１又は２に記載の浴室用ドア枠。
【発明の詳細な説明】
【技術分野】
【０００１】
本発明は浴室用ドア枠、より詳細には、主として室内リフォーム等に際し、老朽化し、あるいは、破損した浴室のドアを交換する際に用いる浴室用ドア枠に関するものである。
【背景技術】
【０００２】
最近の住宅における風呂は、一般にユニットバスと呼ばれる、浴槽と床や壁等が一体となったタイプのものが主流で、ドアもそれに組み込まれている。従って、老朽化し、あるいは、破損した浴室のドアを交換しようとしても、ドアだけの交換は困難であった。
【０００３】
また、当然のことながら、浴室の場合は湯水を使用する関係上、ドア枠部分に十分な防水性能を持たせて、湯水、湯気等が廊下側（着換えスペース）に漏れないよう配慮しなければならない。
【０００４】
また、ユニットバス以外の場合においても、ドアを設置する開口部の寸法は均一ではなく、寸法誤差も生ずる。そのため、予め汎用性のあるドア枠部品を多数用意しておくことは実際上困難であり、各現場において各部品の寸法合わせをしなければならないことが多く、手間やコストがかかるだけでなく、部品の交換を余儀なくされる場合も起こり得る。
【０００５】
【特許文献１】実開昭５９−８２１８３号公報
【特許文献２】実開昭５９−１３１４８１号公報
【特許文献３】実開平５−１４４６４号公報
【特許文献４】実公平２−３０６３１号公報
【発明の開示】
【発明が解決しようとする課題】
【０００６】
本発明は上記事情に鑑みてなされたもので、上記問題のない、即ち、分解組立てが容易で、設置すべき開口部の、特に厚み寸法並びに寸法誤差等に制約されずに施工でき、ユニットバスであっても適用可能で、容易にドアの交換を行うことができる汎用性に富む浴室用ドア枠を提供することを課題とする。
【課題を解決するための手段】
【０００７】
上記課題を解決するための請求項１に記載の発明は、上枠、下枠、左縦枠及び右縦枠から成り、前記各枠は、開口部端縁を挟圧してそこに固定される外側枠と内側枠とで構成され、前記外側枠と内側枠は、その一方が有する受入部に他方が有する装入部が装入されることによって連結されて、前記開口部端縁を挟圧した状態でそこに固定されることを特徴とする浴室用ドア枠である。通例、前記外側枠と内側枠は、その一方が有する前記装入部からその他方が有する前記受入部にネジをネジ込むことによって固定される。
【発明の効果】
【０００８】
本発明に係る浴室用ドア枠は上述したとおりであって、外側枠と内側枠が摺動可能状態に結合されて開口部端縁を挟み込んだ状態で固定される構成のため、分解組立てが容易で、設置すべき開口部の、特に厚み寸法並びに寸法誤差等に制約されずに施工でき、一般の浴室の場合は勿論、ユニットバスにおいても利用可能で汎用性に富み、無駄が出にくいために経済的なる効果があり、しかも、開口部端縁との間の水密性、気密性が十分に確保され、湯水、湯気等が漏出するおそれがないとう効果がある。
【発明を実施するための最良の形態】
【０００９】
本発明を実施するための最良の形態につき、添付図面に依拠して説明する。図１は、本発明に係るドア枠を用いて設置した浴室用ドア１を廊下側から見た図である。ドア１は一般に、アルミフレーム２の上半部に不透明樹脂パネル３を配すると共に、下半部にアルミ板４を配し、中間部の左側（又は右側）にレバーハンドル５を設置して成り、必要に応じ、アルミ板４の下部に、換気ブレス６が配備される。このドア１は、そのレバーハンドル５設置側と反対側が、ヒンジ７を介してドア枠１０に取り付けられる。
【００１０】
次いで、上記ドア１を設置するための本発明に係るドア枠１０の構成について説明する。図２は図１におけるＡ−Ａ線中間省略拡大断面図で、そこには、本発明に係るドア枠１０を構成する上枠１１及び下枠１２と、ドア１を構成する上框８１及び下框８２の詳細が示されている。
【００１１】
上枠１１は、図３に拡大して示すように、石膏ボード、耐水合板、塩ビ鋼板等を貼り合わせて構成される開口部上縁８５に取り付けられるもので、廊下側の外側枠１５と浴室側の内側枠１６とから成り、外側枠１５と内側枠１６は、開口部上縁８５を挟む状態で、通常ネジ止めにより一体化されて、そこに固定される。
【００１２】
外側枠１５は、開口部上縁８５の廊下側側面に対してパッキン１８を介して対向する外側シール部１９と、外側シール部１９から浴室側に直角方向に延びて開口部上縁８５の端面に当接する、内側枠１６の一部を摺動可能に装入するための受入部２０と、受入部２０に連設されていて、ドア受けパッキン２１を介してドア１の上框８１の端縁を受けるドア受け部２２とから成る。受入部２０の奥壁には、複数のネジ穴が適宜間隔置きに形成される。
【００１３】
内側枠１６は、開口部上縁８５の浴室側側面にパッキン２３を介して対向する内側シール部２４と、内側シール部２４から廊下側に直角方向に延びて受入部２０内に摺動可能に装入される装入部２５とから成る。
【００１４】
装入部２５には受入部２０の各ネジ穴に対応する位置にネジ２６がネジ込まれ、各ネジ２６は、更に受入部２０のネジ穴にネジ込まれる。外側枠１５と内側枠１６は、このようにして開口部上縁８５を挟圧してそこに固定されるが、固定前の装入部２５は受入部２０内において摺動自在であるため、外側枠１５と内側枠１６は、開口部上縁８５の厚みに合わせて結合することができる（後述する下枠１２、左右縦枠１３、１４についても同様である。）。
【００１５】
そして、固定後、装入部２５とドア受け部２２との間の隙間、並びに、開口部上縁８５の浴室側側面と内側シール部２４との間の隙間に、それぞれシール材２７、２８が充填され、それぞれの部分の水密性が確保される。また、ドア１の上框８１の上面と外側シール部１９との間にパッキン２９が配備され、その部分から湯水、水滴、湯気等が廊下側に漏れることが防止される。
【００１６】
下枠１２は、図４に拡大して示すように、開口部下縁８６に取り付けられるもので、廊下側の外側枠３１と浴室側の内側枠３２とから成り、外側枠３１と内側枠３２は、開口部下縁８６を挟む状態で、通常ネジ止めにより一体化されて、そこに固定される。
【００１７】
外側枠３１は、開口部下縁８６の廊下側側面に対してパッキン３３を介して対向する外側シール部３４と、外側シール部３４から浴室側に直角方向に延びて開口部下縁８６の上面に当接する、内側枠３２の一部を装入するための受入部３５とから成る。受入部３５の奥壁には、複数のネジ穴が適宜間隔置きに形成される。
【００１８】
内側枠３２は、浴室の床３６（図したものは、ユニットバスの床）の立上り部に対しパッキン３７を介して対向する内側シール部３８と、内側シール部３８から廊下側に直角方向に延びて受入部３５内に装入される装入部３９とから成る。
【００１９】
装入部３９には受入部３５の各ネジ穴に対応する位置にネジ４０がネジ込まれ、各ネジ４０は、更に受入部３５のネジ穴にネジ込まれる。かくして外側枠３１と内側枠３２は、開口部下縁８６を挟圧してそこに固定される。そして、固定後、装入部３９と受入部３５との間の隙間にシール材４１が充填され、その部分の水密性が確保される。
【００２０】
図５は図１におけるＢ−Ｂ線中間省略拡大断面図で、そこには、本発明に係るドア枠１０を構成する左縦枠１３及び右縦枠１４と、ドア１を構成する左縦框（戸先側縦框）８３及び右縦框８４の詳細が示されている。
【００２１】
左縦枠１３は、図６に拡大して示すように、開口部左側縁８７に取り付けられるもので、廊下側の外側枠４２と浴室側の内側枠４３とから成り、外側枠４２と内側枠４３は、開口部左側縁８７を挟む状態で、通常ネジ止めにより一体化されて、そこに固定される。
【００２２】
外側枠４２は、開口部左側縁８７の廊下側側面にパッキン４４を介して対向する外側シール部４５と、外側シール部４５から浴室側に直角方向に延びて開口部左側縁８７の端面に当接する、内側枠４３の一部を装入するための受入部４６と、受入部４６に連設されていて、ドア受けパッキン４７を介してドア１の左縦框８３の端縁を受けるドア受け部４９とから成る。受入部４６の奥壁には、複数のネジ穴が適宜間隔置きに形成される。
【００２３】
内側枠４３は、開口部左側縁８７の浴室側側面に対してパッキン５０を介して対向する内側シール部５１と、内側シール部５１から廊下側に直角方向に延びて受入部４６内に装入される装入部５２とから成る。
【００２４】
装入部５２には受入部４６の各ネジ穴に対応する位置にネジ５３がネジ込まれ、各ネジ５３は、更に受入部４６のネジ穴にネジ込まれる。かくして外側枠４２と内側枠４３は、開口部左側縁８７を挟圧してそこに固定される。そして、固定後、装入部５２と受入部４６との間の隙間、並びに、開口部左側縁８７の浴室側側面と内側シール部５１との間の隙間に、それぞれシール材５４、５５が充填され、その部分の水密性が確保される。
【００２５】
右縦枠１４は開口部右側縁８８に取り付けられるものであり、図７に示す拡大図から明らかなように、左縦枠１３と対称的な構成となっている。そこにおいて、左縦枠１３におけると同一符号を付した部分は、左縦枠１３におけるものと同一の構成であるので、説明を省略する。但し、右縦枠１４の外側シール部４５から受入部４６に至る部分には、ドア１を支持するためのヒンジ７の一方の揺動片が取り付けられ、ヒンジ７の他方の揺動片は、ドア１の右縦框８４の端面に固定される。
【００２６】
図示してないが、ドア１の左側にヒンジ７を取り付けるタイプにあっては、ヒンジ７は左縦枠１３の外側シール部４５から受入部４６に至る部分に取り付けられることになる。
【００２７】
上述した例では、いずれも受入部を外側枠に設け、装入部を内側枠に設けているが、逆に、受入部を内側枠の方に設け、装入部を外側枠の方に設けることとしてもよい。
【００２８】
本発明に係る浴室用ドア枠は、上述したように、外側枠と内側枠とから成る上下枠１１、１２及び左右縦枠１３、１４で構成されていて、これら各枠は独立したものであって、図示した例では外側枠１５、３１、４２に形成される受入部２０、３５、４６に、内側枠１６、３２、４３に形成される装入部２５、３９、５２を装入することによって、古いドア及びドア枠を取り外した開口部端縁を挟み、ネジを緊締することによって確固と固定することができる。
【００２９】
この取付作業に当たり、装入部２５、３９、５２は受入部２０、３５、４６内において摺動可能であるため、開口部端縁の厚みに応じて任意の位置に摺動させて固定することができる。換言すれば、本発明に係る浴室用ドア枠は、開口部端縁の厚みに関係なく利用できる。また、長さ方向の寸法ずれの問題は、現場において各枠の端部をカットすることで、容易に解決することができる。
【００３０】
本発明に係る浴室用ドア枠は、たとえユニットバスであったとしても、このようにして容易に交換設置でき、しかも、各枠と開口部端縁との間、並びに内外枠間は、パッキン及びシール材によって水密・気密状態とされるので、湯水、水滴、湯気等が廊下側（着換えスペース）に漏れる心配もない。
【００３１】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００３２】
【図１】本発明に係るドア枠を用いて設置したドアの例を示す図である。
【図２】図１におけるＡ−Ａ線中間省略拡大断面図である。
【図３】本発明に係るドア枠の上枠部分の詳細を示す図である。
【図４】本発明に係るドア枠の下枠部分の詳細を示す図である。
【図５】図１におけるＢ−Ｂ線中間省略拡大断面図である。
【図６】本発明に係るドア枠の左縦枠部分の詳細を示す図である。
【図７】本発明に係るドア枠の右縦枠部分の詳細を示す図である。
【符号の説明】
【００３３】
１    ドア
１０    ドア枠
１１    上枠
１２    下枠
１３    左縦枠
１４    右縦枠
１５、３１、４２    外側枠
１６、３２、４３    内側枠
１８、２１、２３、２９、３３、３７、４４、５０    パッキン
２０、３５、４６    受入部
２５、３９、５２    装入部
２７、２８、４１、５４、５５    シール材
【図１】
2007162304.tif 000003
【図２】
2007162304.tif 000004
【図３】
2007162304.tif 000005
【図４】
2007162304.tif 000006
【図５】
2007162304.tif 000007
【図６】
2007162304.tif 000008
【図７】
2007162304.tif 000009